(57)【要約】      （修正有）【課題】電装品の配置スペースを広くすることができ、さらにパネル板を電装品ボックスから開けた時に、パネル板は支点ピンにより回転され、一定位置に静止させることができ、フリクションクラッチのトルク調整作業時等においても、安全かつ容易に作業を行うことができるようにする。【解決手段】電気チェーンブロックの電装品収納装置において、電装品ボックス２のフレーム８の外枠角部８ｄに固着され、パネル板１２を回転可能に支承する支持部材１３と、前記電装品ボックス２の下部に両端部７ｂが止着され、中間のループ部７ａが電装品カバー３のガイド金具１１に挿通され、電装品カバー３を電装品ボックス２に連係するベルト部材７を設けたことを特徴とする電気チェーンブロックの電装品収納装置。【選択図】図２
2008105787.tif 000002
【特許請求の範囲】
【請求項１】
電気チェーンブロックの電装品が配置され、電装品ボックスに開閉可能に設けられたパネル板と、前記パネル板の外側で前記電装品ボックスを密閉する電装品カバーを備えた電気チェーンブロックの電装品収納装置において、前記電装品ボックスのフレーム上部に固着され、パネル板を回転可能に支承する支持部材と、前記電装品ボックスの下部に両端部が止着され、中間のループ部が電装品カバーのガイド金具に挿通され、電装品カバーを電装品ボックスに連係するベルト部材を設けたことを特徴とする電気チェーンブロックの電装品収納装置。
【請求項２】
前記支承部材は、パネル板に設けた断面非円形の嵌合穴に挿通する断面非円形の頭部と、パネル板より突出する首部を有する支点ピンであることを特徴とする請求項１記載の電気チェーンブロックの電装品収納装置。
【請求項３】
前記電装品ボックス下部のベルト接触に肉厚の膨出部を設けたことを特徴とする請求項１記載の電気チェーンブロックの電装品収納装置。
【請求項４】
前記ベルトのループ部は、電装品カバーの止着時に、前記ガイド金具から電装品カバーの奥部に収納されることを特徴とする請求項１記載の電気チェーンブロックの電装品収納装置。
【発明の詳細な説明】
【技術分野】
【０００１】
本発明は電気チェーンブロックの駆動部本体に設けられる電装品収納装置に関するものである。
【背景技術】
【０００２】
従来より電気チェーンブロックの電装品収納装置に設けられるパネル板の開閉装置として、電装品ボックスの略両端に固設され、先端にパネル板支持用長孔を設けたヒンジ部と、パネル板の略両端に設けられ、ヒンジ部先端と係合し、パネル板の回動を規制する規制板を有する連結部を備え、ヒンジ部長孔に連結部に設けた支持軸を貫挿し、ヒンジ部にパネル板を枢着するようにしたものは公知である。(特許文献１参照)
また、電装品カバーの開閉装置として、電装品保持部と電装品カバーの下部にそれぞれに備えられた掛かり手段と、その一方の端が電装品保持部の掛かり手段に、その他方の端が電装品カバーの掛かり手段に掛かるように備えられた吊下り手段を備えたものは公知である。(特許文献２参照)
【特許文献１】特開平１１−１１６１９０号公報
【特許文献２】特開平１０−１０９８９４号公報
【発明の開示】
【発明が解決しようとする課題】
【０００３】
しかし前者のパネル板開閉装置では、電装品ボックスの両端に設けられたヒンジ部にパネル板の両端に設けられた連結部が枢着されている構成のものであるため、ヒンジ部がデッドスペースとなり、電装品ボックスのスペースが大きくなり、結果として電気チェーンブロック本体が大型化し、また、パネル板を開けた時に、パネル板の開けた状態を固定できないため、例えばフリクションクラッチのトルクの調整作業時等にパネル板にガタツキが生じ、作業に支障を及ぼすという課題を有していた。
【０００４】
また、部品点数が多く、ヒンジ部等に曲げ加工等の加工処理が必要となるため、コスト増になり、さらに、パネル板を閉じた時に、リード線が弛み、ヒンジ部に狭み込まれ易いという課題を有していた。
【０００５】
また、後者の電装品カバーの開閉装置では、掛かり手段と吊下り手段の引っ掛けスペースが小さいため、電装品カバーの組立てに手間を要し、また電装品カバーは金具で引っ掛けられているだけであるため、本体に大きな振動等が加わった場合に本体から脱落し易いという課題を有していた。
【課題を解決するための手段】
【０００６】
上記課題を解決するため、本発明は、電気チェーンブロックの電装品が配置され、電装品ボックスに開閉可能に設けられたパネル板と、前記パネル板を内包し、前記電装品ボックスを密閉する電装品カバーを備えた電気チェーンブロックの電装品収納装置において、前記電装品ボックスのフレーム上部に固着され、パネル板を回転可能に支承する支持部材と、前記電装品ボックスの下部に両端部が止着され、中間のループ部が電装品カバーのガイド金具に挿通され、電装品カバーを電装品ボックスに連係するベルト部材を設けたことを特徴とする。
【０００７】
また、前記支承部材は、パネル板に設けた断面非円形の嵌合穴に挿通する断面非円形の頭部と、パネル板より突出する首部を有する支点ピンであることを特徴とする。
【０００８】
また、前記電装品ボックス下部のベルト接触に肉厚の膨出部を設けたことを特徴とする。
【０００９】
また、前記ベルトのループ部は、電装品カバーの止着時に、前記ガイド金具から電装品カバーの奥部に収納されることを特徴とする。
【発明の効果】
【００１０】
本発明の電装品収納装置では、パネル板の支持部材として、電装品ボックスのフレーム上部に固着された支持部材である支点ピンを用い、支点ピンによりパネル板を回転可能に支承するように構成したので、従来装置で用いられていたヒンジ手段を用いていないため、電装品の配置スペースを広くすることができ、さらにパネル板を電装品ボックスから開けた時に、パネル板は支点ピンにより回転され、一定位置に静止させることができ、フリクションクラッチのトルク調整作業時等においても、安全かつ容易に作業を行うことができる。さらに、パネル板を開閉するための部品点数も少なく、かつ部品構成がシンプルである。
【００１１】
さらにまた、支点ピンの設置場所の近傍にリード線の収束部を設けることにより、リード線の弛みを小さくでき、かつリード線の狭み込みが生じない。
【００１２】
さらに、支点ピンの頭部の断面形状とパネル板の嵌合穴の断面形状を共に非円形とすることで、パネル板の回転時における脱落の発生を防止することができる。
【００１３】
さらに、電装品カバーの吊り下げ手段としてベルトを用い、電装品カバーを電装品ボックスに止着時に、ベルトはスライドしながら電装品カバー内に収納されるので、ベルトが電装品カバーと電装品ボックス間に狭まれることがなく、電装品カバーの開閉作業が容易となり、さらにまた、電装品ボックスのベルト接触部に膨みを設けることで、パッキンとの干渉を緩和することができる。
【発明を実施するための最良の形態】
【００１４】
以下、発明の実施の形態を図１〜図７を参照して説明する。図１（ａ）は本発明の電気チェーンブロック全体を示す側面図、（ｂ）は電装品収納装置の電装品カバーの開放時における電気チェーンブロック全体を示す側面図、図２は本発明の電気チェーンブロック電装品収納装置の全体構成を示す全体正面図、図３（ａ）は電装品カバーが電装品ボックスに止着されている状態を示す部分拡大側面図、（ｂ）は電装品カバーが開放された状態を示す部分拡大側面図、図４（ａ）（ｂ）は電装品カバー吊下げベルトの係着状態説明図、図５（ａ）（ｂ）はパネル板の係着状態説明図、図６はパネル板と支点ピンの形状説明図、図７はパネル板の開放時のパネル板の状態説明図である。
【００１５】
図において、１は電気チェーンブロック、１ａは電気チェーンブロックの電装品収納装置、２は電装品ボックス、３は電装品ボックスを開閉する電装品カバー、３ａは電装品カバーのフレーム、３ｂは前記フレームに設けた固定ボルト取付部で、図４（ａ）（ｂ）に示すようにベルトが収納されるだけの奥行き長さを有する。４ａは電気チェーンブロック１に設けられる減速歯車収納部、４ｂは電装品収納部、５は電動機、６ａは電気チェーンブロックの上部に設けられ、電気チェーンブロックを吊り下げる上フック、６ｂは電気チェーンブロックの下部に設けられ、図示しない巻上げチェーンのガイド部材、７は電装品カバー３の開閉時に、電装品ボックス２と電装品カバー３を連結するベルト、７ａはベルトのループ部、７ｂはベルト端部、８は電装品ボックス２のフレーム、８ａは電装品フレーム８の外枠、８ｂはフレーム８の側壁、８ｃはフレーム８の内側下部、８ｄは外枠上部角部、８ｅは前記フレーム９内側下部に設けた肉厚部、９はベルト７の両端２つ折にして、その端部をフレーム８の内側下部８ｃに固定する固定ボルト、１０はベルト７のループ部７ａがスライド可能に挿通されるガイド金具１１を電装品カバー３のフレーム３ａの取付部３ｂに固定する固定ピン、１１はベルト７がスライド可能に挿通され、電装品カバーのフレーム３ａに固定されるガイド金具、１２は常時は電装品ボックス２を閉止するパネル板、１３はパネル板１２を回転可能に軸支する支点ピンで、電装品ボックス２のフレーム８の外枠上部角部８ｄに螺着され、パネル板１２は図２に示すように支点ピン１３を中心として回転可能に軸着される。１３ａは支点ピン１３の頭部の断面形状で非円形状である。１４ａ、１４ｂ、１４ｃはパネル板１２をフレーム８に固定する固定用ネジで、フレーム８のコーナ部近傍に設けたネジ穴１５ａ、１５ｂ、１５ｃに螺着される。前記固定用ネジのうち１４ａと１４ｃの２個は支点ピン１３を中心とする同一半径上に配置され、同じく、支点ピン１３を中心に同一半位上に配置されたネジ穴１５ａとネジ穴１５ｃに螺着する。１６はパネル板１２に設けられた支点ピン１３嵌合用穴で、支点ピン１２の頭部形状１３ａと同様に断面非円形形状である。１７は電装品、１８はトランス、１９はパッキンである。
【００１６】
本発明の電装品収納装置において、パネル板１２は電装品ボックス２のフレーム８の外枠上部角部８ｄに支点ピン１３で回転可能に取設されており、従来装置のようにヒンジにより連結されていないため、電装品配置のための有効スペースを広くとることができ、また、パネル板固定時におけるリード線の狭み込みが生じない。また、パネル板１２を開けると、パネル板１２は支点ピン１２を中心に回転し、パネル板１２の開放時における位置に静止され、揺動しないため、図示しないフリクションクラッチのトルク調整作業を安全に行うことができる。また、支点ピン１３の首部を図７に示すように長くし、パネル板１２より突出するようにすることにより、パネル板１２をフレーム８から浮かせて回転させることができるので、パネル板１２の裏面に部品が装着されている場合であっても、パネル板１２の回転が可能となる。また、パネル板１２を電装品ボックス２に固定するための部品も、支点ピン１３は固定用にも用いられ、固定用ネジ１４ａ〜１４ｃだけであるため、部品点数が少なく、かつ構造がシンプルである。また、固定用ネジ１４ａ、１４ｃ及びネジ穴１５ａ、１５ｃを支点ピン１３を中心とする同一半径上に配置したので、パネル板回転時の固定ネジ穴を新たに設ける必要がない。また、支点ピン１３とパネル板１２の支点ピン嵌合穴１６の断面形状はともに非円形となっており、パネル板１２の回転時に、パネル板１２が支点ピン１３からの脱落するのを防止することができる。また、電装品カバー３は、両端部が電装品ボックス２のフレーム８の電装品収納側の内側下部８ｃに固定ボルト９で固定され、中間部のループ部７ａは電装品カバー３に止着されたガイド金具１１に挿通されるベルト７により電装品ボックス２と連係しているので、電装品カバー３が電装品ボックス２に止着されている状態時には、図３（ａ）に示すようにベルト７のループ部７ａはガイド金具１１をスライドして電装品カバー３の奥部に収納されるため、ベルト７が他の電装品と干渉したり、また、電装品ボックス２との間に狭まることがなく、さらに図４に示すように、電装品ボックスのフレーム８の電装品収納側の内側下部８ｃの端部は斜線で示す肉厚部８ｅとなっているので、ベルト７とパッキン１９との干渉を防止することができる。
【産業上の利用可能性】
【００１７】
本発明の電装品収納装置は、電装品ボックスのフレーム上部に固着され、パネル板を回転可能に支承する支持部材と、前記電装品ボックスの下部に両端部が止着され、中間のループ部が電装品カバーのガイド金具に挿通され、電装品カバーを電装品ボックスに連係するベルト部材を設けたので、小型でパネル板及び電装品カバーの開閉操作の容易な電装品ボックスとして有用である。
【図面の簡単な説明】
【００１８】
【図１】（ａ）は本発明の電気チェーンブロック全体を示す側面図、（ｂ）は電装品収納装置の電装品カバーの開放時における電気チェーンブロック全体を示す側面図。
【図２】本発明の電気チェーンブロック電装品収納装置の全体構成を示す全体正面図。
【図３】（ａ）は電装品カバーが電装品ボックスに止着されている状態を示す部分拡大側面図。（ｂ）は電装品カバーが開放された状態を示す部分拡大側面図。
【図４】（ａ）（ｂ）は電装品カバー吊下げベルトの係着説明図。
【図５】（ａ）（ｂ）はパネル板の係着説明図。
【図６】パネル板と支点ピンの形状説明図。
【図７】パネル板の開放時の状態説明図。
【符号の説明】
【００１９】
１  電気チェーンブロック
１ａ  電装品収納装置
２    電装品ボックス
３    電装品カバー
３ａ  フレーム
３ｂ  取付部
４ａ  減速歯車収納部
４ｂ  電装品収納部
５    電動機
６ａ  フック
６ｂ  チェーンガイド部材
７    ベルト
７ａ  ループ部
７ｂ  両端部
８    フレーム
８ａ  外枠
８ｃ  内側下部
８ｄ  外枠上部角部
８ｅ  肉厚部
９    固定ボルト
１０  固定ボルト
１１  ガイド金具
１２  パネル板
１３  支点ピン
１３ａ  支点ピンの頭部形状
１４ａ、ｂ、ｃ  固定用ネジ
１５ａ、ｂ、ｃ  固定用ネジ穴
１６  支点ピン嵌合穴
１７  電装品
１８  トランス
１９  パッキン
【図１】
2008105787.tif 000003
【図２】
2008105787.tif 000004
【図３】
2008105787.tif 000005
【図４】
2008105787.tif 000006
【図５】
2008105787.tif 000007
【図６】
2008105787.tif 000008
【図７】
2008105787.tif 000009